(57)【特許請求の範囲】
【請求項１】
所定個数の基準温度を設定する段階と、
使用者の所望温度と前記設定された所定個数の基準温度とを比較する段階と、
前記比較結果によって、前記使用者の所望温度を基準に室内温度の上昇幅及び下降幅を所定値に増加又は減少させる段階と、
を順次行う空気調和機の運転制御方法であって、
上記所望温度が前記所定個数の基準温度より低いと、上記室内温度の上昇幅及び下降幅を前記所定値以上に増加させ、
上記所望温度が所定の基準温度より高いと、上記室内温度の上昇幅及び下降幅を前記所定値以下に減少させることを特徴とする空気調和機の運転制御方法。
【請求項２】
上記基準温度は、上記使用者の所望温度に従って複数の温度に設定されることを特徴とする請求項１記載の空気調和機の運転制御方法。
【請求項３】
上記所望温度に従って上記室内温度の上昇幅及び下降幅は、予め設定されることを特徴とする請求項１記載の空気調和機の運転制御方法。
【請求項４】
上記室内温度の上昇幅及び下降幅を所定値に増加又は減少させる段階は、上記比較結果によって上記室内温度の上昇幅及び下降幅を可変して快適感及び温熱感を向上させることを特徴とする請求項１記載の空気調和機の運転制御方法。
【請求項５】
上記所定個数の基準温度は、２４℃及び２７℃であることを特徴とする請求項１記載の空気調和機の運転制御方法。
【請求項６】
上記所望温度が上記２４℃以下であると、上記室内温度の上昇幅及び下降幅が１．５℃以上に増加するように空気調和機の運転を制御することを特徴とする請求項５記載の空気調和機の運転制御方法。
【請求項７】
上記所望温度が上記２４℃以上から２７℃以下である場合に、上記室内温度の上昇幅及び下降幅が１℃増加されるように空気調和機の運転を制御することを特徴とする請求項１〜請求項５の何れか一項に記載の空気調和機の運転制御方法。
【請求項８】
上記所望温度が前記２７℃以上であると、上記室内温度の上昇幅及び下降幅が０．３℃以下に減少するように空気調和機の運転を制御することを特徴とする請求項１〜請求項５の何れか一項に記載の空気調和機の運転制御方法。
【発明の詳細な説明】
【０００１】
【発明の属する技術分野】
本発明は、空気調和機の運転制御方法に係るもので、詳しくは、使用者の所望温度に従って室内温度を制御して温熱感及び快適感を向上し得る空気調和機の運転制御方法に関するものである。
【０００２】
【従来の技術】
一般に、空気調和機は、室内の熱い空気を冷たくする冷房装置と室内の冷たい空気を暖かくする暖房装置とに大別される。
最近、上記冷房機能及び暖房機能に加えて除湿機能を有する空気調和機が開発販売されてある。
【０００３】
従来の空気調和機においては、図４に示したように、室内熱交換器８から吐出される低温、低圧の冷媒蒸気を吸入圧縮することで高温、高圧の蒸気を作る圧縮機６と、該圧縮機６から吐出された高温及び高圧の冷媒蒸気を高圧の飽和された液体（以下；飽和液と略称す）に変化させる室外熱交換器３と、該室外熱交換器３から吐出された高圧の飽和液を、膨脹装置２を通じて低温、低圧の冷媒に変換した後、これを蒸発させて液体成分のない飽和蒸気に作る室内熱交換器８と、暖房モード又は冷房モードによって、前記冷媒の流動を調節する四方弁５と、湿気を除去する時に、高圧の冷媒をそのまま前記室内熱交換器８に吐出させるための二方弁１と、を包含して構成されていた。
【０００４】
又、上記室内熱交換器８は、除湿時に、高圧の液体とガスとが混合された冷媒を吸入して熱を放出させることで高圧の液体を吐出する第１熱交換器８−１と、該第１熱交換器８−１の高圧の液体を低圧の液体に降下させる膨脹装置８−２と、該膨脹装置８−２を通って低圧の液とガスとが混合された冷媒を吸入してこれを蒸発させて液分のない低温／低圧の冷媒を吐出する第２熱交換器８−４と、除湿時に、前記第１熱交換器８−１から吐出される高圧の液体が直接第２熱交換器８−４に吐出されることを遮断する二方弁８−３と、を包含して構成されていた。
【０００５】
以下、このように構成された従来の空気調和機の動作に対し、説明する。
先ず、暖房モードの場合に、圧縮機６で圧縮された高温高圧の冷媒は、四方弁５を通って室内熱交換器８に流入されて凝縮された後、膨脹装置２を通って低温低圧の冷媒に変換されるが、この時、上記室内ファン７により吸入された室内空気は、上記室内熱交換器８の表面を通過しながら熱交換されて熱い空気が室内に噴出されることで、室内の温度が上昇される。且つ、上記室内熱交換器８の第１熱交換器８−１と第２熱交換器８−４間の二方弁８−３が開放されて、前記室内熱交換器８が凝縮機（未図示）として作動される。
【０００６】
次いで、上記室外熱交換器３は、上記低温低圧の冷媒を吸入し蒸発させて気体状態の冷媒を吐出し、上記室外熱交換器８から吐出される気体状態の冷媒は前記圧縮機６に吸入されて高温高圧の冷媒に圧縮されるという動作が反復遂行されることで暖房運転が行われる。
【０００７】
一方、冷房モードの場合、上記圧縮機６で圧縮された高温高圧の冷媒は、四方弁を通過して上記室外熱交換器３に流入して凝縮された後、上記膨脹装置２を通って低温低圧の冷媒に変換され、該低温低圧の冷媒は、前記室内交換器８に吸入されて、吸入蒸発させて気体状態の冷媒が上記圧縮機６に吸入されて再び高温高圧の冷媒に圧縮される。この時、上記室内熱交換器８は、上記第１熱交換器８−１と第２熱交換器８−４間の二方弁８−３を開放されることで、蒸発器として動作される。
【０００８】
上記室内ファン７により吸入された室内空気が、上記室内熱交換器８の冷たくなった表面を通過しながら熱交換されて冷たい空気が室内に噴出されることで、室内の温度が下降される。
又、除湿の場合、上記圧縮機６で圧縮された高温高圧の冷媒は、上記四方弁５を通過して上記室外熱交換器３に流入されるが、この時、上記室外ファン４は、低速回転するので、高温高圧の冷媒は、殆ど冷却されてない状態で上記二方弁１を通過したまま上記室内熱交換器８に流入される。
【０００９】
次いで、該室内熱交換器８は、上記の二方弁８−３の開閉によって、上記第１熱交換器８−１と第２熱交換器８−４とが分離して使用され、上記第１熱交換器８−１は、高圧の液体とガスとが混合された冷気を吸入して熱の放出により高圧の液体を吐出し、上記第２熱交換器８−４は、上記第１熱交換器８−１から吐出される高圧の液体を上記膨脹装置８−２により低圧の液体に吸入蒸発させて液分のない低温／低圧の冷媒に吐出する。この時、上記室内ファン７により吸入された室内空気が、上記第２熱交換器８−４の冷たくなった表面を通過しながら熱交換されて湿気が除去された後乾燥空気が、上記第１熱交換器８−１の熱くなった表面を通過しながら加熱されて室内に噴出される。
【００１０】
そして、このような従来の空気調和機の制御方法においては、先ず、使用者が初期に所望の温度を設定し、その所望温度附近で圧縮機６をオン／オフさせて冷気を供給又は遮断することで、常時所望温度附近に室内温度が維持されるように運転の制御を行っていた。即ち、上記圧縮機６のオン条件を、所望温度に０．５度程度加算した温度にし、前記圧縮機６のオフ条件を所望温度に０．５度減算した温度として、冷気を室内に供給又は遮断することで室内温度を調節していた。
【００１１】
【発明が解決しようとする課題】
然るに、このような従来の空気調和機においては、使用者の所望温度を一度設定すると、常時一定な温度間隔に上昇及び下降される動作が遂行されるために、時間が経過するに従って使用者の感じる冷温感覚の弁別力が低下することで、使用者に快適な空調を提供することができないという不都合な点があった。
本発明は、このような従来の課題に鑑みてなされたもので、使用者の所望温度に従って室内温度の上下振幅を増加又は減少させることで、温熱感及び快適感を増大し得る空気調和機の運転制御方法を提供することを目的とする。
【００１２】
【課題を解決するための手段】
このような目的を達成するため、本発明に係る空気調和機の運転制御方法においては、所定個数の基準温度を設定する段階と、使用者の所望温度と前記設定された所定個数の基準温度とを比較する段階と、前記比較結果によって、前記使用者の所望温度を基準に室内温度の上昇幅及び下降幅を所定値に増加又は減少させる段階と、を順次行う空気調和機の運転制御方法であって、上記所望温度が前記所定個数の基準温度より低いと、上記室内温度の上昇幅及び下降幅を前記所定値以上に増加させ、上記所望温度が所定の基準温度より高いと、上記室内温度の上昇幅及び下降幅を前記所定値以下に減少させることを特徴とする。
【００１３】
【発明の実施の形態】
以下、本発明の実施の形態に対し、図面を用いて説明する。
本発明に係る空気調和機の運転制御方法においては、図１に示したように、使用者により所望温度を設定する段階と、該所望温度と予め設定された複数の基準温度等とを比較する段階と、該比較結果によって前記所望温度を基準に室内温度の振幅（上昇幅及び下降幅）を増加又は減少させる段階と、を順次行う。
以下、このような本発明に係る空気調和機の運転制御方法に対し、図１に基づいて説明する。
【００１４】
先ず、使用者が設定した所望温度に従って基準温度を複数に設定する。この時、上記複数設定される基準温度は、２７℃及び２４℃が好ましい。
又、上記複数の基準温度に従って室内温度の上昇幅及び下降幅を予め設定するが、このとき、図１に示したように、上記複数の基準温度を２４℃及び２７℃に設定し、該使用者の所望温度に従う前記室内温度の上昇幅及び下降幅を、  ’０．３℃、１℃又は１．５℃’に増加若しくは減少させる。
【００１５】
例えば、先ず、上記基準温度と上記使用者の所望温度とを比較して上記使用者所望温度が２７℃以上である場合Ｓ２１、前記使用者所望温度に０．３℃を加算した２７．３℃以上になると、上記圧縮機６の動作をオンして室内に冷気を供給する。又、上記室内に冷気が供給されることで前記室内の温度が使用者の所望温度に０．３℃を減算した温度の２６．７℃以下に下降すると、前記圧縮機６の動作をオフして冷気を遮断する。即ち、上記使用者の所望温度が２７℃以上である場合、上記室内温度の振幅（上昇幅及び下降幅）を±０．３℃に設定して室内温度を制御するＳ２４、Ｓ２７。
【００１６】
一方、上記基準温度と前記使用者の所望温度とを比較して前記使用者の所望温度が２４℃〜２７℃である場合Ｓ２２、前記使用者の所望温度（２４℃〜２７℃）に１℃を加算した温度（２５℃〜２８℃）になると、上記圧縮機６の動作をオンして前記室内に冷気を供給する。この時、上記室内に冷気が供給されることで、上記室内の温度が上記使用者の所望温度（２４℃〜２７℃）に１℃を減算した温度（２３℃〜２６℃）に下降すると、上記圧縮機６の動作をオフして冷気を遮断する。即ち、上記使用者の所望温度が２４℃以上から２７℃以下である場合、上記室内温度の振幅（上昇幅及び下降幅）を±１℃に設定して室内温度を制御するＳ２５、Ｓ２８。
【００１７】
一方、上記基準温度と前記使用者の所望温度とを比較して、上記使用者の所望温度が２４℃以下である場合Ｓ２３、前記使用者の所望温度（２４℃以下）から１．５℃を加算した温度（２５．５℃以下）になると、上記圧縮機６の動作をオンして上記室内に冷気を供給する。この時、上記室内に冷気が供給されることで、上記室内温度が上記使用者の所望温度（２４度以下）から１．５度を減算した温度（２２．５度）に下降すると、上記圧縮機６の動作をオフして冷気を遮断する。即ち、上記使用者の所望温度が２４度以下である場合、上記室内温度の振幅（上昇幅及び下降幅）を±１．５℃に設定して室内温度を制御するＳ２６、Ｓ２９。
【００１８】
従って、温冷感覚に対する刺激に従って、刺激が強い場合、室内の所望温度（使用者の所望温度）が基準温度（２４℃）より低いと、刺激の弁別値（識別値）が大きくても快適感を向上させるので、上記圧縮機６の動作をオン／オフして室内温度の上昇幅及び下降幅を増加させる。反面、上記室内所望温度が上記基準温度（２７℃）より高いと、刺激の弁別値が小さくても快適感を向上させるので、前記圧縮機６の動作をオン／オフして前記室内温度の上昇幅及び下降幅を減少させる。
【００１９】
このような本発明に係る空気調和機の運転制御方法を空気調和機に適用した時の使用者の快適感は、図２に示したように、従来のように室内温度を常時一定に維持すると、快適感向上に限界がある。且つ、室内温度を一定の幅に上昇又は下降するように圧縮機６を運転すると、室内温度を常時一定に維持する場合よりある程度快適感を向上させることができるが、温冷感覚の変動が少ないので快適感の向上には限界がある。併し、本発明のように、使用者の所望温度を基準にして室内温度の振幅（上昇幅及び下降幅）範囲内で制御することで、快適感を極大化することができる。
【００２０】
即ち、本発明に係る空気調和機の運転制御方法の使用者の所望温度に従って変化する室内温度の振幅と従来室内温度の振幅との比較は、図３に示したように、温感覚（暖かい感覚）に対する令感覚（冷たい感覚）の比が常に一定であるというウェーバーの法則を利用して、使用者の所望温度（所望温度１）が基準温度（２７℃）より高い時には、室内温度の振幅を減少させ、使用者の所望温度（所望温度２）が基準温度（２４℃）より低い時には、室内温度の振幅を増加させて快適感を極大化させる。この時、上記ウェーバーの法則は次式（１）のように表現される。Ｓ＝ＤＬ／Ｌ＝一定−−−−−−−−−−−−（１）
【００２１】
式（１）中、Ｓはウェーバー比、ＤＬは刺激弁別値、Ｌは刺激値を夫々示したものである。即ち、ある刺激を受けている状態で、刺激が増加した場合に、増加したことを感じる最小値を刺激弁別値という。上記ウェーバーの法則は、ある刺激とその時の刺激弁別値比とは一定であるということである。即ち、小さい刺激を受けている場合は、小さい刺激の増加を感知することができるが、大きい刺激を受けている場合には、それに比例する大きい刺激の増加でないと、感知することができないということを示す。
【００２２】
【発明の効果】
以上説明したように、本発明に係る空気調和機の運転制御方法においては、使用者が設定した室内所望温度が低い場合には、室内温度の上昇幅及び下降幅を大きく制御し、（室内温度の振幅を増加させ）、使用者が設定した室内所望温度が高い場合には、室内温度の上昇幅及び下降幅を小さく制御することで（室内温度の振幅を減少させて）、温熱快適度を向上し得るという効果がある。
又、本発明に係る空気調和機の運転制御方法においては、使用者が設定した室内所望温度に従って室内温度の振幅を増加又は減少させることことで、空気調和機の消費電力を減少して節電冷房を遂行し得るという効果がある。
【図面の簡単な説明】
【図１】本発明に係る空気調和機の運転制御方法を示したフローチャートである。
【図２】本発明に係る空気調和機の運転制御方法を適用した場合における使用者の快適感を示したグラフである。
【図３】本発明に係る空気調和機の運転制御方法の使用者所望温度に従って変化する室内温度の振幅と従来室内温度の振幅との比較を示したチャートである。
【図４】従来の空気調和機の構成を示したブロック図である。
【符号の説明】
１、８−３…二方弁
２、８−２…膨脹装置
３…室外熱交換器
４…室外ファン
５…四方弁
６…圧縮機
７…室内ファン
８…室内熱交換器
８−１…第１熱交換器
８−４…第２熱交換器
【図１】
0003574438.tif 000002
【図２】
0003574438.tif 000003
【図３】
0003574438.tif 000004
【図４】
0003574438.tif 000005